(57)【特許請求の範囲】
【請求項１】
アップリンク（ＵＬ）直交周波数分割多元接続（ＯＦＤＭＡ）伝送のための方法であって、
アクセスポイント（ＡＰ）によって、前記ＡＰと複数のステーション（ＳＴＡ）との間の通信の始めにおいて、複数のＳＴＡに、ＵＬ伝送のためのスケジューリング情報を送るステップであって、前記スケジューリング情報は、前記ＵＬ伝送のリソースを予約するための時間間隔を含む、ステップと、
前記スケジューリング情報に含まれる前記時間間隔に従って、定期的に、前記複数のＳＴＡに、短い同期信号（ＳＳＳ）を繰り返し送るステップと、
前記スケジューリング情報の送信後に、前記複数のＳＴＡから、前記複数のＳＳＳの各々の受信に応答して、対応するＵＬ伝送を繰り返し受信するステップと
を含むことを特徴とする方法。
【請求項２】
前記スケジューリング情報は、前記ＳＴＡに反復的に前記ＳＳＳを送るための期間を示すことを特徴とする請求項１に記載の方法。
【請求項３】
前記送るステップは、前記ＳＳＳに続く次のＳＳＳを送るステップを含み、
前記受信するステップは、前記次のＳＳＳの受信に応答して、対応するＵＬ伝送を受信するステップを含むことを特徴とする請求項２に記載の方法。
【請求項４】
前記ＳＳＳは、前記ＳＴＡに信号で伝えるのに十分な１つまたは少数のＯＦＤＭシンボルを占有する信号であることを特徴とする請求項１ないし３のいずれか１項に記載の方法。
【請求項５】
前記ＵＬ伝送は、前記ＳＳＳを送ってから少なくとも時間の短いフレーム間スペース（ＳＩＦＳ）の後に、前記複数のＳＴＡの各々から受信されることを特徴とする請求項１または２に記載の方法。
【請求項６】
前記ＡＰと、前記複数のＳＴＡとは異なる複数の第２のＳＴＡとの間の通信の始めにおいて、前記複数の第２のＳＴＡに、ＵＬ伝送のための第２のスケジューリング情報を送るステップと、
前記第２のスケジューリング情報に含まれる前記時間間隔に従って、定期的に、前記複数の第２のＳＴＡに、第２のＳＳＳを送るステップと、
前記第２のスケジューリング情報の送信後に、前記複数の第２のＳＴＡの各々から、前記第２のＳＳＳの各々の受信に応答して、対応するＵＬ伝送を繰り返し受信するステップをさらに含むことを特徴とする請求項１ないし５のいずれか１項に記載の方法。
【請求項７】
前記第２のＳＳＳは、前記ＳＴＡに前記ＳＳＳを送るのとは異なるタイミングで、前記第２のＳＴＡに送られることを特徴とする請求項６に記載の方法。
【請求項８】
前記第２のスケジューリング情報は、前記第２のＳＴＡに反復的に前記第２のＳＳＳを送るための第２の期間を示すことを特徴とする請求項６に記載の方法。
【請求項９】
前記スケジューリング情報は、前記ＳＴＡに前記ＳＳＳを送るための周波数リソース情報を備えることを特徴とする請求項１に記載の方法。
【請求項１０】
前記ＳＳＳは、前記複数のＳＴＡに、前記ＳＴＡの１つに対するＵＬ伝送用と同じ周波数リソース上で送られることを特徴とする請求項１に記載の方法。
【請求項１１】
前記ＳＳＳは、前記ＳＴＡのそれぞれ１つに、前記ＳＴＡの前記それぞれ１つに対するＵＬ伝送のための対応する周波数リソース上で送られることを特徴とする請求項１に記載の方法。
【請求項１２】
前記ＳＳＳは、前記ＳＴＡからの前記ＵＬ伝送の伝送電力を制御するための電力制御情報を備えることを特徴とする請求項１に記載の方法。
【請求項１３】
アップリンク（ＵＬ）直交周波数分割多元接続（ＯＦＤＭＡ）伝送をサポートするアクセスポイント（ＡＰ）であって、
少なくとも１つのプロセッサと、
前記少なくとも１つのプロセッサによる実行のためのプログラムを記憶した非一時的コンピュータ可読記憶媒体と
を備え、前記プログラムは、
前記ＡＰと複数のステーション（ＳＴＡ）との間の通信の始めにおいて、ＵＬ伝送のためのスケジューリング情報を送り、前記スケジューリング情報は、前記ＵＬ伝送のリソースを予約するための時間間隔を含み、
前記スケジューリング情報に含まれる前記時間間隔に従って、定期的に、前記複数のＳＴＡに、周期的に、短い同期信号（ＳＳＳ）を繰り返し送り、
前記スケジューリング情報の送信後に、前記ＳＴＡから、前記複数のＳＳＳの各々の受信に応答して、対応するＵＬ伝送を繰り返し受信するための命令を含む
ことを特徴とするＡＰ。
【請求項１４】
前記スケジューリング情報は、前記ＳＴＡに反復的に前記ＳＳＳを送るための期間を示すことを特徴とする請求項１３に記載のＡＰ。
【請求項１５】
前記プログラムは、
前記ＡＰと、前記複数のＳＴＡとは異なる複数の第２のＳＴＡとの間の通信の始めにおいて、前記第２のＳＴＡに、第２のＳＳＳを送るステップと、
前記複数の第２のＳＴＡの各々から、前記第２のＳＳＳの各々の受信に応答して、対応するＵＬ伝送を繰り返し受信することを特徴とする請求項１４に記載のＡＰ。
【請求項１６】
アップリンク（ＵＬ）直交周波数分割多元接続（ＯＦＤＭＡ）伝送のための方法であって、
ステーションによって、アクセスポイント（ＡＰ）から、前記ＡＰと複数のステーション（ＳＴＡ）との間の通信の始めにおいて、ＵＬ伝送のためのスケジューリング情報を受信するステップであって、前記スケジューリング情報は、前記ＵＬ伝送のリソースを予約するための時間間隔を含む、ステップと、
前記スケジューリング情報の受信後に、前記ＡＰから、ＵＬ伝送のための前記スケジューリング情報に従って短い同期信号（ＳＳＳ）を繰り返し受信するステップと、
時間の短いフレーム間スペース（ＳＩＦＳ）の間、待機するステップと、
前記ＡＰに、前記ＳＳＳの受信に応答してＵＬ伝送を送るステップと
を含むことを特徴とする方法。
【請求項１７】
前記スケジューリング情報は、前記ＡＰから反復的に前記ＳＳＳを送信するための期間を示すことを特徴とする請求項１６に記載の方法。
【請求項１８】
前記ＡＰと、前記複数のＳＴＡとは異なる複数の第２のＳＴＡとの間の通信の始めにおいて、前記ＡＰから、第２のスケジューリング情報を受信するステップと、
前記第２のＳＳＳの各々の受信に応答して、第２のＵＬ伝送を前記ＡＰに繰り返し送るステップとをさらに含むことを特徴とする請求項１７に記載の方法。
【請求項１９】
アップリンク（ＵＬ）直交周波数分割多元接続（ＯＦＤＭＡ）伝送をサポートするステーション（ＳＴＡ）であって、
少なくとも１つのプロセッサと、
前記少なくとも１つのプロセッサによる実行のためのプログラムを記憶した非一時的コンピュータ可読記憶媒体と
を備え、前記プログラムは、
アクセスポイント（ＡＰ）から、前記ＡＰと、複数のＳＴＡとは異なる複数の第２のＳＴＡとの間の通信の始めとは別に、前記ＡＰと前記複数のＳＴＡとの間の通信の始めにおいて、ＵＬ伝送のためのスケジューリング情報を繰り返し受信し、前記スケジューリング情報は、前記ＵＬ伝送のリソースを予約するための時間間隔を含み、
ＡＰから、前記スケジューリング情報に含まれる前記時間間隔に従って、定期的に、短い同期信号（ＳＳＳ）を受信し、
時間の短いフレーム間スペース（ＳＩＦＳ）の間、待機し、
前記スケジューリング情報の送信後に、前記ＡＰに、前記複数のＳＳＳの各々の受信に応答してＵＬ伝送を送る
ための命令を含む
ことを特徴とするＳＴＡ。
【請求項２０】
前記スケジューリング情報は、前記ＡＰから反復的に前記ＳＳＳを送信するための期間を示すことを特徴とする請求項１９に記載のＳＴＡ。
【請求項２１】
前記プログラムは、
前記ＡＰと、前記複数のＳＴＡとは異なる複数の第２のＳＴＡとの間の通信の始めにおいて、前記ＡＰから、前記第２のＳＳＳを受信し、
前記第２のＳＳＳの各々の受信に応答して、第２のＵＬ伝送を前記ＡＰに繰り返し送る  ための命令をさらに含むことを特徴とする請求項２０に記載のＳＴＡ。
【発明の詳細な説明】
【技術分野】
【０００１】
本発明は、無線およびＷｉＦｉ通信に関し、具体的な実施形態ではアップリンク直交周波数分割多元接続（ＯＦＤＭＡ）伝送のためのシステムおよび方法に関する。
【背景技術】
【０００２】
本出願は、これによって本明細書に参照によりその全体が再現されているかの如く組み込まれている、２０１４年１月１５日に出願したＺｈｉｇａｎｇ  Ｒｏｎｇらによる「Ｓｙｓｔｅｍ  ａｎｄ  Ｍｅｔｈｏｄ  ｆｏｒ  Ｕｐｌｉｎｋ  ＯＦＤＭＡ  Ｔｒａｎｓｍｉｓｓｉｏｎ」という名称の米国特許仮出願第６１／９２７，７６２号の利益を主張するものである。
【０００３】
ＷｉＦｉ接続能力（capability）を有するユーザデバイスまたはステーション（ＳＴＡ）（例えばスマートフォン／タブレットコンピュータ）の数が増加し続けるにつれて、成長する市街地における例など、アクセスポイント（ＡＰ）ならびにＳＴＡの密度はより高くなりつつある。ＷｉＦｉシステムのもとの設計は低密度のＡＰおよびＳＴＡを前提としているので、高密度のＡＰおよびＳＴＡは、ＷｉＦｉシステムの効率を低下し得る。例えば現在の拡張分散チャネルアクセス（ＥＤＣＡ）をベースとする、無線通信のためのメディアアクセス制御（ＭＡＣ）方式は、高密度のＡＰおよびＳＴＡを有する環境では効率的に動作し得ない。従って、高密度ＷｉＦｉ環境などにおいて、無線システム性能を改善するための方式の必要性がある。
【発明の概要】
【課題を解決するための手段】
【０００４】
実施形態によれば、アップリンク（ＵＬ）直交周波数分割多元接続（ＯＦＤＭＡ）伝送のための方法は、アクセスポイント（ＡＰ）によって複数のステーション（ＳＴＡ）に、周期的ＵＬ伝送のためのスケジューリング情報を送るステップと、ＳＴＡに、周期的ＵＬ伝送のためのスケジューリング情報に従って短い同期信号（ＳＳＳ）を送るステップとを含む。方法は、ＳＴＡから、ＳＳＳの受信に応答して対応するＵＬ伝送を受信するステップをさらに含む。ＵＬ伝送は、およそ同時に複数のＳＴＡのそれぞれによって送られる。
【０００５】
他の実施形態によれば、ＵＬ  ＯＦＤＭＡ伝送をサポートするＡＰは、少なくとも１つのプロセッサと、少なくとも１つのプロセッサによる実行のためのプログラミングを記憶した非一時的コンピュータ可読記憶媒体とを備える。プログラミングは、複数のＳＴＡに、周期的ＵＬ伝送のためのスケジューリング情報を送り、ＳＴＡに、周期的ＵＬ伝送のためのスケジューリング情報に従ってＳＳＳを送るための命令を含む。プログラミングは、ＳＴＡから、ＳＳＳの受信に応答して対応するＵＬ伝送を受信するための命令をさらに含み、ＵＬ伝送は、およそ同時に複数のＳＴＡのそれぞれによって送られる。
【０００６】
他の実施形態によれば、ＵＬ  ＯＦＤＭＡ伝送のための方法は、ＳＴＡによってＡＰから、周期的ＵＬ伝送のためのスケジューリング情報を受信するステップと、ＡＰから、周期的ＵＬ伝送のためのスケジューリング情報に従ってＳＳＳを受信するステップとを含む。方法は、短いフレーム間スペース（ＳＩＦＳ）の時間の間、待機するステップと、ＡＰに、ＳＳＳの受信に応答してＵＬ伝送を送るステップとをさらに含む。
【０００７】
さらに、他の実施形態によれば、ＵＬ  ＯＦＤＭＡ伝送をサポートするＳＴＡであり、ＳＴＡは少なくとも１つのプロセッサと、少なくとも１つのプロセッサによる実行のためのプログラミングを記憶した非一時的コンピュータ可読記憶媒体とを備える。プログラミングは、ＡＰから、周期的ＵＬ伝送のためのスケジューリング情報を受信し、ＡＰから、周期的ＵＬ伝送のためのスケジューリング情報に従ってＳＳＳを受信するための命令を含む。プログラミングは、ＳＩＦＳの間、待機し、ＡＰに、ＳＳＳの受信に応答してＵＬ伝送を送るための命令をさらに含む。
【０００８】
上記は、以下に続く本発明の詳細な説明がより良く理解され得るように、本発明の実施形態の特徴をある程度広く概説した。本発明の実施形態のさらなる特徴および利点は本明細書の以下で述べられ、それらは本発明の特許請求の範囲の主題となる。当業者には、開示される概念および特定の実施形態は、本発明と同じ目的を実行するために変更するまたは他の構造体もしくはプロセスを設計するための基礎として、容易に利用され得ることが理解されるべきである。また、当業者には、このような等価な構成は、特許請求の範囲に記載された本発明の趣旨および範囲から逸脱しないことが明確に理解されるべきである。
【図面の簡単な説明】
【０００９】
次に本発明およびその利点のより完全な理解のために、添付の図面と併せて以下の説明が参照される。
【図１】本開示の実施形態による例示的無線通信システムを示す図である。
【図２】短い同期信号（ＳＳＳ）およびアップリンク（ＵＬ）データに対する実施形態のタイミング方式を示す図である。
【図３】ＳＳＳおよびＵＬデータに対する他の実施形態のタイミング方式を示す図である。
【図４】ＵＬ  ＯＦＤＭＡ伝送のための実施形態の方法を示す図である。
【図５】様々な実施形態を実施するために用いることができる処理システムの図である。
【発明を実施するための形態】
【００１０】
異なる図における対応する数字および記号は一般に、特に明記されない限り、対応する部分を指す。図は、実施形態の関連のある特徴を明確に示すように描かれ、必ずしも原寸に比例して描かれていない。
【００１１】
現在好ましい実施形態の製作および使用は以下に詳しく述べる。しかし本発明は、多種多様な特定の状況において具体化することができる多くの応用可能な発明性のある概念をもたらすことが理解されるべきである。議論する特定の実施形態は、単に本発明を製作および使用するための特定の方法を例示するものであり、本発明の範囲を限定するものではない。
【００１２】
セルラシステム（例えばロングタームエボリューション（ＬＴＥ））では直交周波数分割多元接続（ＯＦＤＭＡ）は、高密度環境においてロバスト性のある性能をもたらすことが実証されている。ＯＦＤＭＡ方式は、システム帯域幅の異なる部分において異なるユーザのトラフィックを運ぶことによって、同時に複数のユーザをサポートすることができる。ＯＦＤＭＡ方式は、各個別のユーザからのデータトラフィックが低いときなどに、多数のユーザをより効率的にサポートすることができる。ＯＦＤＭＡはまた、１人のユーザからのトラフィックがシステム帯域幅全体を満たすことができない場合に、周波数リソースを浪費することを回避する。これはシステム帯域幅がより広くなるのに従って、いっそう有用となる。
【００１３】
例えばボイスオーバインターネットプロトコル（ＶｏＩＰ）サービスをサポートするために、アップリンク（ＵＬ）伝送においてＯＦＤＭＡが用いられることができ、これは本明細書ではＵＬ−ＯＦＤＭＡとも呼ばれる。この場合、各ユーザからのトラフィックは通常は低く、例えば２０ミリ秒（ｍｓ）ごとに１パケットの周期的パターンを有する。ＶｏＩＰパケットを送信するために、リソースが周期的にスケジューリングされる（例えば２０ｍｓごとに１回）。これは、メッセージの周期的スケジューリングによって引き起こされるいくらかのオーバーヘッドを導入することができる。あるいは、周期的リソースは、通信の始まりにおいてスケジューリングされ予約することができ、従って通信の途中で必要となるさらなる周期的スケジューリングメッセージはなく、結果として生じるオーバーヘッドは少なくなる。ＬＴＥではシステムは同期的であり、システム内のｅＮＢおよびすべてのＵＥは同じクロックに従う。周期的リソースは半永続的な方法において割り当てられることができ、スケジューリングは通信の始まりに１回生じる。これは、スケジューリングメッセージを低減することによってオーバーヘッドを節約する。システムは同期的であり、タイミング精度に対する必要条件は十分に厳密であるので、ＵＬ−ＯＦＤＭＡを用いることは適している。
【００１４】
しかし、ＷｉＦｉシステムにおいてＯＦＤＭＡ方式を用いることは、アップリンク上の異なるＳＴＡの間に同期がないことによって、より挑戦を要するものとなる。ＷｉＦｉシステムにおけるタイミング精度に対する緩い必要条件により、複数のＳＴＡのタイムクロックはドリフトすることがあり、通信が続くのに従って互いの間の同期を失い得る。ＵＬ−ＯＦＤＭＡ伝送は、複数のＳＴＡの送信された信号が同時に受信器に到着することが必要であるので、同期を失うことはＵＬ−ＯＦＤＭＡの障害を引き起こし得る。
【００１５】
本明細書では、無線システムにおける効率的なアップリンクＯＦＤＭＡ伝送を実施するためのシステムおよび方法の実施形態がもたらされる。実施形態は、比較的多数のＳＴＡおよび／またはＡＰを備えたＷｉＦｉシステムなどの、高密度環境を有する無線通信システムにおいて使用され得る。具体的には、ＡＰは、周期的ＵＬ  ＳＴＡ伝送のためのスケジューリング情報を送るまたはブロードキャストするように構成される。ＳＴＡは、この情報を用いて、それらのウェイクアップ時間を周期的ＵＬ伝送ウィンドウと同期させる。各スケジューリングされた周期的間隔において、ＡＰは、その間隔でＵＬのためにスケジューリングされた各ＳＴＡまたはＳＴＡのグループに短い同期信号（ＳＳＳ）を送る。ＳＳＳを受信するとすぐに、グループ内のＳＴＡは、短いフレーム間スペース（ＳＩＦＳ）の時間の後に、それらのＵＬ伝送を開始する。例えばＳＩＦＳは、任意の予め定められた適切な待ち時間、および／またはＷｉＦｉもしくは他の通信標準によるものとすることができる。従って、ＳＴＡの各グループは、対応するスケジューリングされた周期的時間間隔においてＵＬ伝送を始めるように同期されることができ、これはＵＬリソース（例えばＵＬ専用の帯域幅）における混雑を低減する。
【００１６】
図１は、本明細書におけるＵＬ−ＯＦＤＭＡ伝送の実施形態を実施することができる無線通信システム１００の例を示す。無線通信システム１００は、ステーション（ＳＴＡ）１１０から１１６などの１または複数のＳＴＡのために働くアクセスポイント（ＡＰ）１０５を含む。ＡＰ１０５は、ＳＴＡとの無線通信の能力を有し、ＳＴＡがインターネットなどのネットワークにアクセスすることを可能にする任意のネットワークデバイスとすることができる。ＡＰ１０５は、ＳＴＡ１１０〜１１６から生じる通信を受信し、次いでそれらの目的とする送信先に通信を転送し、および／またはＳＴＡ１１０〜１１６を送信先とする通信を受信（１または複数のネットワークから）し、次いで目的とするＳＴＡに通信を転送する。ＳＴＡ１１０〜１１６は、スマートフォン、タブレットコンピュータ、センサデバイス（例えばスマートウオッチ）、または他のデバイスなどの、無線通信能力を有する任意のユーザ通信デバイスとすることができる。ＡＰ１０５を通して通信することに加えて、いくつかのＳＴＡは互いに直接通信することができる。例えばＳＴＡ１１６は、ＳＴＡ１１８に直接送信することができる。図１はただ１つのＡＰ１０５を示すが、システムは任意の数のＡＰを含むことができる。実施形態では、無線通信システム１００はＷｉＦｉシステムであり、ＡＰおよびＳＴＡは、ＷｉＦｉ信号および接続を用いて通信する。他の実施形態では、ＡＰは、基地局、進化型ノードＢ（ｅＮＢ）、フェムトセル（Femtcell）またはピコセル（Picocell）、通信コントローラなどと呼ばれ得る。ＳＴＡはまた、移動局、携帯電話機、ユーザ機器（ＵＥ）、端末、ユーザ、加入者などと呼ばれ得る。
【００１７】
ＵＬ−ＯＦＤＭＡ伝送方式は、ＳＴＡ１０５から、ＳＴＡの１または複数のグループへ周期的リソース割り当てについてのスケジューリング情報を送ることを含む。スケジューリング情報は、ＡＰから、指定されたＳＴＡへの短い同期信号（ＳＳＳ）の送信の周期的スケジューリングを示す。ＳＴＡの各グループには、異なる周期的タイミングが割り当てられ得る。この情報により、各グループの指定されたＳＴＡがウェイクアップし、そのグループに対するスケジューリングされたタイミングにおいてＳＳＳを受信することを可能にする。従って、ＳＳＳの受信は、各グループのＳＴＡメンバに対して同期されるようになり、異なるグループのＳＴＡは、異なるタイミングでＳＳＳを受信する。次いでＡＰは、スケジューリング情報に示されるのに従って、周期的にＳＳＳを送る。例えば、ＡＰは、おおよそ２０ｍｓごとに１回ＳＳＳを送ることができる。チャネルのアイドル／非アイドル状態に応じて、ＳＳＳのタイミングもまた、スケジューリングされた周期的タイミングの周り、例えば２０ｍｓ周期の周りで変化することができる。オーバーヘッドを節約するために、ＳＳＳは実質的に少数のＯＦＤＭシンボル（例えば１つのシンボル）だけを占有し得る。周波数の側面では、ＳＳＳは、簡単なＳＴＡ実装を可能にするように、複数のＳＴＡの対応するＵＬリソース上に送信され得る。ＳＳＳはまた、定められた設計されたシーケンスの形におけるものとすることができる。スケジューリング情報を受信した後に、ＳＴＡはＳＳＳのために用いられる周期的タイミングおよび周波数リソースを知り、それに従って、周期的タイミングの周りのウィンドウ内でウェイクアップしＳＳＳをリスンする。ＳＴＡがＳＳＳを検出したときは、ＳＴＡは、受信したＳＳＳの終わりから、短いフレーム間スペース（ＳＩＦＳ）の時間待機した後に、周期的なスケジューリングされたリソース上に、そのＵＬトラフィックの送信を開始する。この待ち時間は、媒体（リソース）へのアクセスにおけるシステムのＳＴＡの間の衝突を低減する。
【００１８】
図２は、ＵＬ−ＯＦＤＭＡ方式による、ＳＳＳおよびＵＬデータに対する実施形態のタイミング方式を示す。この手法により、ＳＳＳを受信した後に複数のＳＴＡのタイミングが同期する。これは、複数のＳＴＡの送信された信号が同時に受信器に到達することを可能にし、従ってＵＬ−ＯＦＤＭＡをサポートする。ＳＳＳを送るためのオーバーヘッドは、ＳＳＳ伝送を実質的に少数のＯＦＤＭシンボル、例えば１つ、または代替的実施形態では２つ、３つもしくは４つに制限することによって最小化される。図２では、周期的ＳＳＳおよびＵＬデータが、（ＳＴＡ１およびＳＴＡ２）を含むＳＴＡの単一のグループに対して示される。しかし、複数のグループが、異なるグループの間で重複しないタイミングにおいて、同様な周期的ＳＳＳおよびＵＬデータ伝送を有することができる。
【００１９】
上記の実施形態では、ＳＳＳは、グループ内のＳＴＡのための複数のリソースユニット上に送信される。他の実施形態では、ＳＳＳのオーバーヘッドをさらに低減するために、ＳＳＳは、同じグループ内のすべてのＳＴＡに対して１つのリソースユニット（例えば１つの２０ＭＨｚチャネル）上のみに送信されるようにしてもよい。この実施形態では、ＡＰは、周期的リソース割り当てに関するスケジューリング情報内で、ＳＳＳの周波数位置についてＳＴＡに通知する。これは、上記の実施形態に比べて、ＳＴＡのいくつかはＳＳＳを検出するために１つのチャネルから別へと切り換える必要があるので、より複雑なＳＴＡ実装を必要とし得る。例えば図３に示されるように、ＳＳＳは、ＳＴＡ１に対するＵＬ伝送に対応するチャネル上のみに送信される。さらに上記の実施形態のいずれにおいても、ＳＳＳは、対応するＳＴＡに対する電力制御情報を運ぶことができる。電力制御情報は、ＳＴＡによってそれらのＵＬ伝送電力を調整するために用いられることができ、従ってＵＬ−ＯＦＤＭＡにおける遠近問題を回避する。
【００２０】
上記の実施形態は、比較的小さな制御オーバーヘッドにより、ＵＬ上での周期的ＯＦＤＭＡの使用を可能にし、従ってリソース使用をより効率的にする。方式は、高密度環境においてＶｏＩＰなどのサービスをサポートするときに有益である。実施形態は、スマートフォン、タブレット、ＷｉＦｉ  ＡＰ、無線ルータ、および他の民生用電子機器において実施され得る。
【００２１】
図４は、無線通信に対するアップリンクＯＦＤＭＡ伝送のための実施形態の方法４００を示す。例えば、方法４００は、ＡＰと複数のＳＴＡとの間のＷｉＦｉシステム内に実施することができる。ステップ４１０で、ＡＰは、ＳＴＡに周期的ＵＬ  ＳＴＡ伝送のためのスケジューリング情報を送る（ブロードキャストまたはユニキャストする）。スケジューリング情報は、ＡＰからＳＴＡの各考慮されるグループへのＳＳＳの周期的タイミングを示す。周期的タイミングは、２０ｍｓごとなどの選択された間隔によって決定される。スケジューリング情報はまた、どのチャネルがＳＴＡに対するＵＬ伝送に対応するかなど、各またはグループ内のすべてのＳＴＡに対するＳＳＳの周波数位置を示すことができる。ステップ４２０で、ＡＰは、スケジューリング情報に示されるのに従って、定められた時間間隔においてＳＳＳを送る。ＳＴＡは、このタイミングにおいて、またはその前にウェイクアップしてＳＳＳを受信する。ステップ４３０で、ＳＳＳを受信するとすぐにＳＴＡは、ＯＦＤＭＡを用いてアップリンク上にデータを送信し始める前に、短いフレーム間スペース（ＳＩＦＳ）の時間、待機する。
【００２２】
図５は、上記の様々な実施形態およびアルゴリズムを実施するために用いることができる処理システム５００のブロック図である。例えば、処理システム５００は、スマートフォン、タブレットコンピュータ、ラップトップ、またはデスクトップコンピュータなどの、ＳＴＡまたはＵＥの一部とすることができる。システムはまた、ＡＰまたは基地局などの、ＳＴＡまたはＵＥのために働くネットワークエンティティまたは構成要素の一部とすることができる。処理システムはまた、基地局などのネットワーク構成要素の一部とすることができる。特定のデバイスは、示される構成要素のすべて、または構成要素のサブセットのみを利用することができ、統合化のレベルはデバイスごとに異なり得る。さらに、デバイスは、複数の処理装置、プロセッサ、メモリ、送信器、受信器などの構成要素の複数の例を含むことができる。処理システム５００は、スピーカ、マイクロフォン、マウス、タッチスクリーン、キーパッド、キーボード、プリンタ、ディスプレイなどの１または複数の入力／出力デバイスを装備した処理装置５０１を備えることができる。処理装置５０１は、バスに接続された中央処理装置（ＣＰＵ）５１０、メモリ５２０、大容量記憶装置５３０、ビデオアダプタ５４０、およびＩ／Ｏインターフェース５６０を含むことができる。バスは、メモリバスまたはメモリコントローラ、周辺バス、ビデオバスなどを含むいくつかのバスアーキテクチャの任意のタイプの１または複数とすることができる。
【００２３】
ＣＰＵ５１０は、任意のタイプの電子的データプロセッサを備えることができる。メモリ５２０は、スタティックランダムアクセスメモリ（ＳＲＡＭ）、ダイナミックランダムアクセスメモリ（ＤＲＡＭ）、シンクロナスＤＲＡＭ（ＳＤＲＡＭ）、読出し専用メモリ（ＲＯＭ）、それらの組み合わせなどの任意のタイプのシステムメモリを備えることができる。実施形態ではメモリ５２０は、ブートアップにおける使用のためのＲＯＭ、ならびにプログラム用およびプログラムを実行する間の使用のためのデータ記憶用のＤＲＡＭを含むことができる。実施形態ではメモリ５２０は非一時的である。大容量記憶装置５３０は、データ、プログラム、および他の情報を記憶し、データ、プログラム、および他の情報をバスを通じてアクセス可能にするように構成された任意のタイプの記憶装置を備えることができる。大容量記憶装置５３０は、例えばソリッドステートドライブ、ハードディスクドライブ、磁気ディスクドライブ、光ディスクドライブなどの１または複数を備えることができる。
【００２４】
ビデオアダプタ５４０およびＩ／Ｏインターフェース５６０は、外部入力および出力デバイスを処理装置に結合するためのインターフェースをもたらす。図示されるように入力および出力デバイスの例は、ビデオアダプタ５４０に結合されたディスプレイ５９０、およびＩ／Ｏインターフェース５６０に結合されたマウス／キーボード／プリンタ５７０の任意の組み合わせを含む。他のデバイスは、処理装置５０１に結合されることができ、追加のまたはより少ないインターフェースカードが利用され得る。例えば、プリンタのためのシリアルインターフェースをもたらすために、シリアルインターフェースカード（図示せず）が用いられ得る。
【００２５】
処理装置５０１はまた、１または複数のネットワークインターフェース５５０を含み、これは、アクセスノードまたは１または複数のネットワーク５８０への、イーサネットケーブルなどの有線リンク、および／または無線リンクを備えることができる。ネットワークインターフェース５５０は、処理装置５０１がネットワーク５８０を通じて遠隔装置と通信することを可能にする。例えば、ネットワークインターフェース５５０は、１または複数の送信器／送信アンテナ、および１または複数の受信器／受信アンテナを通じて、無線通信をもたらすことができる。実施形態では、処理装置５０１は、データ処理および他の処理装置、インターネット、遠隔記憶設備などの遠隔デバイスとの通信のために、ローカルエリアネットワークまたは広域ネットワークに結合される。
【００２６】
本開示においていくつかの実施形態が示されたが、開示のシステムおよび方法は、本開示の趣旨または範囲から逸脱せずに、多くの他の特定の形で具体化され得ることが理解されるべきである。これらの例は、例示的であり制約的ではないと考えられるべきであり、本明細書で述べられた詳細に限定されることを意図するものではない。例えば、様々な要素または構成要素は、組み合わされ、または別のシステムに統合されることができ、またはいくつかの機能は省かれるもしくは実施されなくてもよい。
【００２７】
さらに、本開示の範囲から逸脱せずに、様々な実施形態において個別もしくは単独として述べられおよび例示された技法、システム、サブシステム、および方法は、他のシステム、モジュール、技法、もしくは方法と組み合わせるまたは統合することができる。互いに結合される、もしくは直接結合される、または通信するように示されたまたは述べられた他の項目は、電気的、機械的、もしくは他の形で、何らかのインターフェース、デバイス、もしくは中間構成要素を通して、間接的に結合されるまたは通信することができる。本明細書で開示された趣旨および範囲から逸脱せずに、当業者によって変更、置換、および変形の他の例が確認され、行われ得る。
【図１】
0006389262.tif 000002
【図２】
0006389262.tif 000003
【図３】
0006389262.tif 000004
【図４】
0006389262.tif 000005
【図５】
0006389262.tif 000006